(57)【要約】【課題】  再印刷時に再印刷時の分散印刷方法等を自由に変更でき、且つ電子文書の内容自体は改竄を防止することが容易にできる電子文書印刷装置を提供する。【解決手段】  電子文書ファイル作成時に印刷処理手順記述ファイル以外を暗号化して電子文書ファイルを作成することを特徴とする。【選択図】        図１
2007004454.tif 000002
【特許請求の範囲】
【請求項１】
少なくとも一つ以上のファイルを１つのファイルに結合するファイルアーカイブ手段と、
１ファイルに結合されたファイルを元のファイルに復元するアンアーカイブ手段と、
前記画像データを印刷する処理方法を記述した印刷処理手順記述ファイルを作成する印刷処理手順記述ファイル作成手段と、
前記印刷処理手順記述ファイル作成手段で作成した印刷処理手順記述ファイルの内容を解析する印刷処理手順記述ファイル解析手段と、
印刷処理手順記述ファイル解析手段に印刷処理手順記述ファイルを与えて処理内容を解析し、その記述指示内容にしたがって印刷処理を行う印刷手段と、
前記ファイルアーカイブ手段に少なくとも前記印刷手段で印刷する画像データと前記印刷処理手順記述ファイルを与えて電子文書ファイルを作成する電子文書作成手段とを所有することを特徴とする電子文書印刷装置。
【請求項２】
前記電子文書ファイルを前記アーカイブ手段で元のファイルに復元して前記印刷処理手順記述ファイルを取り出し、
取り出した印刷処理手順記述ファイルを、前記印刷処理手順記述ファイル解析手段によって解析された結果によって分散印刷と判断されたならば、分散数分の印刷処理手順記述ファイルを新たに作成する第２の印刷処理手順記述ファイル作成手段と、
前記第２の印刷処理手順記述ファイル作成手段によって作成された印刷処理手順記述ファイルを前記ファイルアーカイブ手段に与えて、分散数分の電子文書ファイルを作成する第２の電子文書作成手段とを所有することを特徴とする請求項１記載の電子文書印刷装置。
【請求項３】
前記第２の電子文書作成手段で作成された複数の電子文書ファイルを用いて、複数のプリンタへ分散印刷処理を行う第２の印刷手段を所有することを特徴とする請求項１記載の電子文書印刷装置。
【請求項４】
前記電子文書ファイル作成手段と第２の電子文書ファイル作成手段で作成された電子文書を保存する電子文書ファイル保存手段を所有することを特徴とする請求項１記載の電子文書印刷装置。
【請求項５】
前記電子文書ファイル保存手段で保存した電子文書ファイルを選択する電子文書選択手段と、
前記電子文書選択手段で選択された電子文書ファイルを前記印刷手段を用いて再印刷を行うことを特徴とする請求項１記載の電子文書印刷装置。
【請求項６】
前記印刷処理手順記述ファイルに記述されている印刷処理に必要な全ファイルを前記アーカイブ手段に与えて電子文書ファイルを作成することを特徴とする請求項１記載の電子文書印刷装置。
【請求項７】
前記印刷処理手順記述ファイル以外のファイルは変更不可にしてファイルを１つのファイルに結合する第３のファイルアーカイブ手段で電子文書ファイルを作成することを特徴とする請求項１記載の電子文書印刷装置。
【発明の詳細な説明】
【技術分野】
【０００１】
本発明は電子文書を印刷する電子文書印刷装置に関する。
【背景技術】
【０００２】
従来この種の電子文書印刷システムにおいては、作成した電子文書全体を更新不可にするか更新可にするかの設定を行っていた。その為、印刷指示等の印刷に関係したデータが含まれている電子文書の場合、一度印刷を実行したような電子文書の再印刷を行う時には、再印刷の設定を変更するには電子文書全体が更新可でなければならなかった。また、更新不可にした電子文書の再印刷時には印刷の設定を変更できなかった。
【特許文献１】特開平０７−０３６７６８号公報
【発明の開示】
【発明が解決しようとする課題】
【０００３】
従って、従来の電子文書印刷システムでは、電子文書が変更されることを防ぐ為に更新不可に設定した電子文書を再印刷する場合には、電子文書内に記録されている印刷設定情報を変更できないという問題点があった。
【０００４】
また、再印刷時に印刷設定情報を変更できるように電子文書を更新可に設定しておくと、他のユーザによって電子文書の本文自体が変更されてしまう危険があるという問題点があった。
【０００５】
本発明は、上述の問題点に着目してなされたものであって、再印刷時に再印刷時の分散印刷方法等を自由に変更でき、且つ電子文書の内容自体は改竄を防止することが容易にできる電子文書印刷装置を提供することを目的とする。
【課題を解決するための手段】
【０００６】
本発明はかかる従来技術に鑑みなされたものであり、少なくとも一つ以上のファイルを１つのファイルに結合するファイルアーカイブ手段と、１ファイルに結合されたファイルを元のファイルに復元するアンアーカイブ手段と、前記画像データを印刷する処理方法を記述した印刷処理手順記述ファイルを作成する印刷処理手順記述ファイル作成手段と、前記印刷処理手順記述ファイル作成手段で作成した印刷処理手順記述ファイルの内容を解析する印刷処理手順記述ファイル解析手段と、印刷処理手順記述ファイル解析手段に印刷処理手順記述ファイルを与えて処理内容を解析し、その記述指示内容にしたがって印刷処理を行う印刷手段と、前記ファイルアーカイブ手段に少なくとも前記印刷手段で印刷する画像データと前記印刷処理手順記述ファイルを与えて電子文書ファイルを作成する電子文書作成手段とを所有することを特徴とする電子文書印刷装置。
【０００７】
前記電子文書ファイルを前記アーカイブ手段で元のファイルに復元して前記印刷処理手順記述ファイルを取り出し、取り出した印刷処理手順記述ファイルを、前記印刷処理手順記述ファイル解析手段によって解析された結果によって分散印刷と判断されたならば、分散数分の印刷処理手順記述ファイルを新たに作成する第２の印刷処理手順記述ファイル作成手段と、前記第２の印刷処理手順記述ファイル作成手段によって作成された印刷処理手順記述ファイルを前記ファイルアーカイブ手段に与えて、分散数分の電子文書ファイルを作成する第２の電子文書作成手段とを所有することを特徴とする電子文書印刷装置。
【０００８】
前記第２の電子文書作成手段で作成された複数の電子文書ファイルを用いて、複数のプリンタへ分散印刷処理を行う第２の印刷手段を所有することを特徴とする電子文書印刷装置。
【０００９】
前記電子文書ファイル作成手段と第２の電子文書ファイル作成手段で作成された電子文書を保存する電子文書ファイル保存手段を所有することを特徴とする電子文書印刷装置。
【００１０】
前記電子文書ファイル保存手段で保存した電子文書ファイルを選択する電子文書選択手段と、前記電子文書選択手段で選択された電子文書ファイルを前記印刷手段を用いて再印刷を行うことを特徴とする電子文書印刷装置。
【００１１】
前記印刷処理手順記述ファイルに記述されている印刷処理に必要な全ファイルを前記アーカイブ手段に与えて電子文書ファイルを作成することを特徴とする電子文書印刷装置。
【００１２】
前記印刷処理手順記述ファイル以外のファイルは変更不可にしてファイルを１つのファイルに結合する第３のファイルアーカイブ手段で電子文書ファイルを作成することを特徴とする電子文書印刷装置を有することにより、電子データの本文に関係する箇所は更新が不可で印刷設定に関する箇所だけが更新可能な電子文書印刷装置を提供しようとするものである。
【発明の効果】
【００１３】
本発明によれば、電子文書ファイル作成時に印刷処理手順記述ファイル以外を暗号化して電子文書ファイルを作成するだけでいいので、ユーザは再印刷時に再印刷時の分散印刷方法等を自由に変更でき、且つ電子文書の内容自体は改竄を防止することが容易にできるようになる。
【発明を実施するための最良の形態】
【００１４】
以下、添付図面に従って本発明に係わる実施例を詳細に説明する。
【実施例】
【００１５】
図１は本発明の一実施例を説明する電子文書印刷装置のシステム・ブロック図である。１はシステム・バスであり、これから説明する各構成ブロックはこのシステム・バスに接続されている。２はＣＰＵ（Ｃｅｎｔｒａｌ  Ｐｒｏｃｅｓｓｉｎｇ  Ｕｎｉｔ）である。３はプログラム・メモリ（以下ＰＭＥＭと称す）で、編集・読み取り機器制御・印刷処理手順記述ファイルの解析・その解析に基いた印刷処理など各種処理のためのプログラムを適宜ハード・ディスク１５から選択／読み込みし、２のＣＰＵにて実行する。又、作成されたデータや印刷処理用のデータはデータ格納用メモリでもあるＰＭＥＭに格納されるし、ユーザがキーボード９より入力したテキストデータや各種指示情報の一時格納用としてもＰＭＥＭが用いられる。４は、通信制御部であり、１８の通信ポートに於ける入出力データの制御を行う。通信ポート１８から出力された信号は、通信回線１９を経由して、ネットワーク上の他の装置の通信ポートに伝えられる。２０は通信回線１９を介してつながっている他の電子文書印刷装置を示す。ネットワーク上で共有されているプリンタや、他の電子文書印刷装置との電子文書ファイルの送受信処理は、この通信制御部４を介して行われる。
【００１６】
また、本実施例ではＬＡＮなどのネットワークに関して記述するが、この通信制御部に接続される通信ポート及び通信回線が一般の公衆回線など他の通信手段であっても本発明が適応されることは言うまでもない。
【００１７】
５はデジタルカメラ、６は画像入出力制御部、７と１７はプリンタであり、デジタルカメラ５から読み込まれた画像データは、３のＰＭＥＭに展開されたのちＶＲＡＭ１１上に展開され、ＣＲＴ１３に表示される。８は入力制御部であり、９のキーボード、１０のＰＤ（ポインティングデバイスのこと。以下ＰＤと称す。）等の入力装置が接続される。操作者はこのキーボード９を操作することによりシステムの動作指令等を行う。またＰＤ１０は１３のＣＲＴ上で画像情報や文字データや数値データを選択、加工指示したり、電子文書ファイルの印刷パラメータの設定をするためのもので本実施例ではマウスを使用している。これによりＣＲＴ１３上のマウスカーソルをＸ，Ｙ方向に任意に移動して、メニューの選択、画像データ、図形データ、文字データ、数値データ、印刷パラメータの選択、編集を行なう。
【００１８】
１１はビデオ・イメージ・メモリ（以下ＶＲＡＭと称す）、１２は表示出力制御部、１３はＣＲＴである。１３のＣＲＴに表示されるデータは１１のＶＲＡＭ上にビットマップデータとして展開されている。例えば図形データであれば、その位置、描画属性情報に対応した図形パターンがＶＲＡＭ上に展開されており、また、ソフト制御によりＶＲＡＭの表示エリアに直接カーソルを発生し表示が可能である。１４は外部記憶装置制御部、１５、１６は電子文書ファイルや画像データや図形データや文字データや数値データなどを記録しておくデータファイル用のディスクで、例えば１５はハード・ディスク（以下ＨＤと称す）であり、１６は、フロッピー（登録商標）・ディスク（以下ＦＤと称す）である。本実施例ではＨＤ１５に複数のファイルを一つのファイルに統合するアーカイブ機能や電子文書ファイルの印刷機能などのプログラムが記録されるが、これらのプログラムを格納する記録媒体としては、ＲＯＭや、フロッピー（登録商標）ディスク１６や、ＣＤ−ＲＯＭ、メモリカード、光磁気ディスクなどのデバイスを用いることができる。
【００１９】
図２は本発明の電子文書印刷装置の外観図である。２３はシステム・バス１やＣＰＵ２やＰＭＥＭ３や通信制御部４を内蔵した電子文書印刷装置の本体部である。１３はＣＲＴで、９はキーボード、１０はＰＤ、２１はＦＤドライブでありＦＤ２２がセットされて電子文書ファイルや画像データや図形データや文字データや数値データをＦＤ２２に書き込んだり、またＦＤ２２に記録されている電子文書ファイルや図形データや文字データや数値データを読み込んだりする。
【００２０】
また本発明は各種プログラムをＨＤ１５に記録した電子文書印刷装置において実現されるのはもちろんである。が、本発明を実現可能なプログラムを記録された記録媒体を他のシステムあるいは電子文書印刷装置に供給し、そのシステムあるいは装置のコンピュータが、記録媒体に格納されたプログラムコードを読み出し実行することによっても、本発明は達成される。例えば複数ファイルを一つのファイルに統合するアーカイブ機能や電子文書ファイルを印刷する機能プログラムが記録されたＦＤ２２を他の電子文書印刷装置のＦＤドライブ２１にセットし、そのプログラムをハードディスク１５へロードし、そのロードしたプログラムを実行する。こうすることによって本発明は他の電子文書印刷装置においても実現可能である。
【００２１】
以下図３から図１３までは、従来電子文書ファイルをどのように分散印刷処理していたかを各種の図を用いながら詳細に説明していく。
【００２２】
まず本従来例では、電子文書ファイルは各情報を記録した複数のファイルから構成されているとする。
【００２３】
また、電子文書ファイルは複数のファイルを一つのファイルに統合したアーカイブファイルであるとする。
【００２４】
図３に、本従来例の電子文書ファイルを構成するファイル一覧の例を示す。
【００２５】
３０は、電子文書管理ファイルであり電子文書ファイル内にどのようなファイルが記録されているかを管理する情報が記録されている。３１は、印刷処理手順記録ファイルであり、電子文書ファイルを、どのプリンタに、ＸページからＹページまでを、原稿のどの位置に、等倍か変倍するのか、回転するのかしないのか、どのように配置して、何部印刷し、印刷された用紙をステイプルするかどうか等の電子文書ファイルの印刷に関する全指示が記録されている。３２は、印刷元ファイルであり印刷処理手順記録ファイルに記録されている指示に従って印刷を行う画像ファイルそのものである。本画像ファイルのフォーマットは、一般に知られているＢＭＰフォーマットやＰＤＦ（登録商標）フォーマット（ＰＤＦはＡｄｏｂｅ社の商標です）であっても構わないし、独自の画像フォーマットであっても構わず、本発明を実現できる。３３は、プリンタ情報ファイルでありプリンタ個々に固有の情報を記録している。例えばＷｉｎｄｏｗｓ（登録商標）におけるＤＥＶＭＯＤＥ構造体情報である。電子文書ファイルを前回の印刷時にプリンタドライバに設定したＤＥＶＭＯＤＥ情報を記録しておくことによって、再印刷時に前回においてプリンタドライバに設定した同じ内容を設定することができる。
【００２６】
３４は、編集情報ファイルであり、電子文書ファイルを編集時に必要な情報が記録される。例えば、前回の編集時に電子文書ファイルを表示していた倍率やページ番号などである。電子文書ファイルの編集に関しては本発明に関係しない為に、本従来例では省略する。３５は、バリアブル編集情報ファイルであり、電子文書ファイルをバリアブル印刷する為の情報が記録されている（バリアブル印刷とは、ある原稿の一部を顧客名称等に変更して複数部数印刷するような印刷部単位で変更されるような領域を持った印刷）。電子文書ファイルのどのページをどのように変更しながら印刷していくか等の情報が記録されている。バリアブル印刷に関しても本発明に関係しない為に、本従来例ではその詳細な説明までは省略する。３６は、バリアブルデータベースファイルであり、バリアブル印刷にて使用する印刷データである。各印刷部ごとに印刷内容を変えるためのデータとしては、テキストでも構わないし画像でも構わないしその他のデータでも構わない。３７は、検索キーワード情報ファイルであり、電子文書ファイルがデータベースに記録された時にどのようなキーワードをデータベースに登録し検索可能にするかを記録している。電子文書ファイルを記録するデータベースは何でも構わない。電子文書ファイルのデータベースへの登録に関しては本発明に関係しない為に、本従来例では省略する。
【００２７】
図４に各種ファイルが一つの文書に統合されて電子文書ファイルがアーカイブされた場合の構成例を示す。
【００２８】
４０は電子文書ファイルのヘッダ情報であり、一つの文書に統合した場合にアーカイブされた電子文書ファイルを管理する為の情報が記録されている。この電子文書ファイルヘッダ情報を用いることによって、統合されたアーカイブ電子文書ファイルを元のファイルの状態に復元することができる。３０から３７までは電子文書ファイルを構成する各種ファイルを示し、４１は電子文書ファイルヘッダ情報と各種ファイルが統合されたアーカイブ電子文書ファイルを示す。
【００２９】
図５に４１の電子文書ファイルヘッダ情報の詳細な構成例を示す。
【００３０】
５０は、トータルファイル数であり、電子文書ファイルに記録されているファイルの総数を示す。このファイル数をみれば、４１の電子文書ファイルヘッダ情報内に、幾つのファイルに関する情報が記録されているかも判断することができる。５１は、電子文書ファイルサイズであり、アーカイブ電子文書ファイルのサイズを示す。５２は、第一番目のファイル情報領域へのファイルの先頭からのオフセット値であり、５３のデータ領域がアーカイブ電子文書ファイル内でどの領域に存在するかを示す。５３から５９まではアーカイブ電子文書ファイル内に記録されている、それぞれのファイルの情報を示す。５３は、ファイル名であり、アーカイブ電子文書ファイルから個々のファイルが取り出された時に付けられるファイル名を示す。５４は、ファイルサイズであり、アーカイブ電子文書ファイル内でどれだけの領域を占有しているかを示す。具体的には、ファイルが圧縮されているかいないかによってそのサイズは変わってくる。
【００３１】
５５は、ファイルの実体へのオフセット値であり、このファイルがアーカイブ電子文書ファイル内で占める領域のファイルの先頭からのオフセット値が記録されている。５６は、圧縮フラグであり、このファイルが圧縮されてアーカイブ電子文書ファイルに記録されているのか、圧縮されていないのかを示す。５７は、圧縮方式であり、５６の圧縮フラグで圧縮されていると記録されていた場合のみ意味を持ち、ＭＭＲ等の圧縮方式が記録されている。圧縮方式の詳細に関しては、本発明と関係しないのでその説明を省略する。５８は、ファイル属性であり、このファイルが元々所有していたＲｅａｄ  Ｏｎｌｙ等のファイル属性を記録し、アンアーカイブ機能によってファイルが復元された時にどのような属性を持たせるかを記録する。５９は、次のファイル情報領域へのオフセット値であり、アーカイブ電子文書ファイルの先頭からのオフセット値が記録されている。以降のファイルに関しては図では省略されているが、５３から５９の項目がファイル数分だけ繰り返し記録されている。
【００３２】
図６に、電子文書管理ファイル３０の構成例を示す。
【００３３】
電子文書管理ファイルは、アーカイブ電子文書ファイルがアンアーカイブ機能によって個別のファイルに復元された時に、電子文書ファイルを構成する個々のファイルを管理する為の情報を記録している。
【００３４】
６０は、トータルファイル数であり、電子文書ファイルを構成する各要素であるところのファイル数を示す。本従来例では図３における３１の印刷処理手順記述ファイルから３７の検索キーワード情報ファイルまでがそれにあたり、ファイル数は７である。６１は、第一番目のファイル情報領域へのオフセット値であり、電子文書管理ファイルの先頭から第一番目のファイル情報が記録されている領域までのオフセット値である。本従来例では、６２の項目までの電子文書管理ファイルの先頭からのオフセット値が記録されている。６２から６６までは、電子文書ファイルを構成する個々のファイルの情報が記録されている。６２は、ファイル名であり、電子文書ファイルを構成する要素としてのファイルの名称を示す。３１の印刷処理手順記述ファイルの名称等がそれに当たる。
【００３５】
６３は、ファイルサイズであり、例えば３１の印刷処理手順記述ファイルのサイズが記録されている。６４は、ファイルへのＰａｔｈであり、ファイルがどのディレクトリに作成されているかを示す。６５は、ファイルグループ種であり、３１の印刷処理手順記述ファイルから３７の検索キーワード情報ファイルまでの種類を記録することが可能で、例えば３１の印刷処理手順記述ファイルが複数存在した場合には、それらのファイルが同一種類のファイルであることをこれで判定できる。６６は、次のファイル情報領域へのオフセット値であり、電子文書管理ファイルの先頭からのオフセット値を示す。以降のファイルに関しては図では省略されているが、６２から６６の項目がファイル数分だけ繰り返し記録されている。
【００３６】
図７に、印刷処理手順記述ファイル３１の構成例を示す。
【００３７】
印刷処理手順記述ファイルは、先にも述べたように電子文書ファイルをどのように印刷するかの処理内容と手順を記述している。このように印刷処理手順を記述する方式にＪＤＦ（ｔｒａｄｅｍａｒｋ  ｏｆ  ＣＩＰ４）が知られている。本実施例ではこのＪＤＦを用いた例を記述する。図７には、「ＪＤＦ  Ｓｐｅｃｉｆｉｃａｔｉｏｎ  Ｓｐｉｒａｌ  ６．０  Ｃａｎｄｉｄａｔｅ  ｆｏｒ  Ｒｅｌｅａｓｅ  Ｖｅｒｓｉｏｎ  １．０」より抜粋したＪＤＦによる記述例です。本発明には、印刷処理手順記述ファイルのフォーマットやその記述方法は関係ない。ＪＤＦ等の表現で、印刷に使用する複数のプリンタが選択でき、それぞれのプリンタにどのように印刷するかを表現できる。更に、その印刷処理手順記述ファイルを作成し解析する機能が存在するものとして従来の実施例を進める。
【００３８】
図８に、編集情報ファイル３４の構成例を示す。
【００３９】
編集情報ファイルとは、電子文書ファイルを作成・編集処理を行う上での編集に必要な情報を記録しておく領域である。本従来の実施例では以下のような情報を記録することとする。
【００４０】
８０は、前回の表示倍率であり、電子文書ファイルを前回の編集処理時にウインドウ上に表示していた時の倍率を示している。８１は、前回の表示ページ番号であり、電子文書ファイルの表示していたページ数を示す。８２は、前回のウインドウ表示位置であり、電子文書ファイルの編集用のウインドウを表示していたポジションを示す。８３は、前回のウインドウ表示サイズであり、電子文書ファイルの編集用のウインドウサイズを示す。
【００４１】
図９に、バリアブル編集情報ファイル３５の構成例を示す。
【００４２】
９０は、ページ番号であり、電子文書ファイルの印刷時の何ページ目にバリアブル印刷用の領域があるのかを示す。９１は、ポジションであり、９０で示されたページのどの位置にバリアブル印刷用の領域があるのかを示す。９２は、領域サイズであり、９１で示されたポジションを領域の左上側の原点として、どれだけの矩形サイズ領域を占めているかを示す。９３は、バリアブルデータ数であり、３６のバリアブルデータベースファイルにどれだけのデータが記録されているかを示す。
【００４３】
本従来の実施例では、一つの電子文書ファイル内に一つのバリアブル印刷用のフィールドしか設定できないように記述されているが、バリアブル編集情報ファイル３５内に複数のフィールドを記録できてもいいことは言うまでもない。
【００４４】
図１０に、検索キーワード情報ファイル３７の構成例を示す。
【００４５】
１００から１０３は検索キーワードであり、電子文書ファイルがデータベースに記録された時に、そのデータベース上で検索する為のキーワード文字列である。この検索用のキーワードをデータベースに検索用のキーとして登録するわけである。
【００４６】
本従来の実施例では、検索キーワードの項目数を４つとして記述したが、４つ以上でも以下でも、またキーワード数を可変にしてもいいことは言うまでもない。
【００４７】
図１１に、本従来の実施例における電子文書ファイルと印刷処理手順記述ファイルがどのように変更されて処理なされるかを示す。
【００４８】
１１０はユーザが電子文書ファイルを作成し、分散印刷の設定かつ実行を指示した直後の電子文書ファイルと印刷処理手順記述ファイル内の内容を示している。本従来の実施例では、ユーザがキーボード９等を使用して電子文書ファイルを選択し、電子文書ファイルをＡプリンタへページ１からページ１０までを、Ｂプリンタへページ１１からページ２０までを、Ｃプリンタへページ２１からページ３０までを１部ずつ分散印刷するように指示したとする。その分散印刷指示情報が印刷処理手順記述ファイルに記録されている状態を示している。１１１は電子文書ファイルの印刷を実行するプリントサーバである。分散印刷を実行するように指示された電子文書ファイル１１０が、プリントサーバ１１１に転送される。プリントサーバ１１１上では、アンアーカイブ機能を用いて転送された電子文書ファイルを個々のファイルに復元し、復元された印刷処理手順記述ファイルの内容を解析し、分散印刷指定がなされていることを解釈する。そして個々のプリンタ用の分散印刷指示だけを残した新たな印刷処理手順記述ファイルを作成し、その印刷処理手順記述ファイルを元に新規の電子文書ファイルを分散数分だけ作成する。この時に作成された電子文書ファイルが１１２から１１４である。１１２は印刷処理手順記述ファイルからＡプリンタへの印刷処理手順を記述した箇所だけを抽出して、印刷処理手順記述ファイルを作り直してある。
【００４９】
１１３と１１４に関しても同様にＢプリンタとＣプリンタに関する印刷処理手順を記述した箇所を抽出して、印刷処理手順記述ファイルを作り直した電子文書ファイルである。そしてプリントサーバ１１１上で作成された電子文書ファイル１１２・１１３・１１４をプリントサーバ上で３つの印刷プロセスを作成することによって、同時に印刷処理される。
【００５０】
プリントサーバ１１１は、電子文書ファイル１１０の分散印刷処理を指示したコンピュータと同じであっても構わない。本従来の実施例では、クライアントコンピュータ上で電子文書ファイルを作成し、分散印刷の実行を指定し、その電子文書ファイルがプリントサーバコンピュータである１１１にＬＡＮ等のネットワークを介して転送され、プリントサーバ上で分散印刷処理がなされるように記述したが、一台のコンピュータ上で実行されても構わない。つまり、プリントサーバ１１１の印刷機能を持ったコンピュータ上で電子文書ファイルを作成し、分散印刷処理を行ったとしても構わない。
【００５１】
図１２は本従来例における電子文書ファイルに分散印刷の指示を印刷処理手順記述ファイルに記述し電子文書ファイルを作成するまでの一例を説明するフローチャートである。
【００５２】
ステップＳ１では、電子文書ファイルを作成する。ユーザは印刷元ファイル３２として何らかの画像ファイルをコンピュータ上からキーボード９等を用いて選択し、電子文書ファイルを作成する。その際に図３で説明したバリアブル編集情報ファイル３５等を追加していっても構わない。そしてステップＳ２でキーボード９より分散印刷の指示がなされたかどうかを判定し、もし指示がなされたならばステップＳ３へ進み、指示がないならばステップＳ２を繰り返す。ステップＳ３では分散印刷の方法をキーボード９やＰＤ１０を用いて設定する。分散印刷の指示内容としてはこれまでに説明したように、使用するプリンタ・そのプリンタに印刷するページ範囲・印刷する部数等がある。そしてステップＳ４では、分散印刷の設定が終了し、印刷開始が指示されたかどうかを判定する。印刷開始が指示されたならばステップＳ５へ進み、指示されていないならばステップＳ４を繰り返す。ステップＳ５では、ステップＳ３で設定された分散印刷の方法を印刷処理手順記述ファイルに書き込む。そしてステップＳ６でステップＳ５で更新された印刷処理手順記述ファイルを元に、ステップＳ２で作成した電子文書ファイルをアーカイブ機能を用いて一つのファイルに統合する。この時作成されたファイルが図１１の分散処理前の電子文書ファイル１１０である。その作成された電子文書ファイルはコンピュータ上に保存される。そしてステップＳ７にて作成された電子文書ファイルがプリントサーバ１１１へＬＡＮ等のネットワークを介して転送される。
【００５３】
図１３は本従来例におけるプリントサーバ上での分散印刷の指示が印刷処理手順記述ファイルに記述された電子文書ファイルを分散印刷するまでの一例を説明するフローチャートである。
【００５４】
ステップＳ２１にて、プリントサーバ１１１はステップＳ７にて送信された電子文書ファイルを受信する。そしてステップＳ２２に進み、受信したアーカイブ電子文書ファイルをアンアーカイブ機能を用いて元のファイルに復元し、復元された印刷処理手順記述ファイルを解析して分散印刷の指示がなされているかどうかを判断する。もし、分散印刷の指示がなされていなければステップＳ２３に進み、通常の電子文書印刷処理を実行する。もし分散印刷が指示されていたならば、ステップＳ２４に進み、分散印刷指示の詳細を解析する。本従来の実施例では、ページ毎に分散印刷を行う設定を行っているので、ページ分散の指示詳細を解析する。そしてステップＳ２５にて、ステップＳ２４で解析した結果に基いて分散数分の印刷処理手順記述ファイルを作成し、その印刷処理手順記述ファイルをもとに、分散数分のアーカイブ機能で一つに統合される前の電子文書ファイルを作成する。そしてステップＳ２６にて、ステップＳ２５で作成された電子文書ファイルのそれぞれに対してアーカイブ機能を用いてアーカイブ電子文書ファイルを作成し、コンピュータに記録しておく。この時に作成された電子文書ファイルが図１１の電子文書ファイル１１２から１１４である。本従来の実施例では、３つに分散印刷する例を記している。そしてステップＳ２７にて、アーカイブ機能で統合されていない個々のファイルがバラバラに分かれた状態の電子文書ファイルを用いて、印刷処理を行う。
【００５５】
そして、印刷の出力結果を見て、再度印刷し直す必要があったならば、全体を再度印刷し直す場合にはステップＳ６で保存された電子文書ファイルを選択して印刷の実行を指示すればよい。Ａプリンタへの印刷処理だけが失敗して再度印刷したいならば、ステップＳ２６で保存したＡプリンタ用の電子文書ファイルだけを選択して印刷の実行を指示する。印刷を行うプリンタ名やその部数などの情報はそれぞれの電子文書ファイルに記録されている印刷処理手順記述ファイルに記録されているので、電子文書ファイル自体に変更は必要なく、印刷の実行を指示するだけでよい。
【００５６】
また、ステップＳ６やステップＳ２６では、電子文書ファイルの印刷に必要な全データを記録しているので，本実施例のようにプリントサーバ上に電子文書ファイルが転送されてもデータを取得できないことによる印刷処理の失敗を防止できる。
【００５７】
以下では、上記従来例を元にして、本発明の実施例を各種の図を用いながら詳細に説明していく。
【００５８】
第１４図に、本実施例の電子文書ファイルを保存する際に、印刷処理手順記述ファイル以外を暗号化して後から変更できないようにするかどうかを指定する画面を示す。
【００５９】
１４０は電子文書ファイル保存を指示する電子文書ファイル保存ダイアログであり、１４１は電子文書ファイルの保存先とその名称を指示するためのエディットボックスであり、キーボード９より入力することによって指定する。１４２は印刷処理手順記述ファイル以外を暗号化して後から変更できないようにするかどうかを指定する文書保護指定チェックボックスでありＰＤ１０に連動して動作するマウスポインタをその上に移動させ、ＰＤ１０のボタンをクリックすることによって指定を行う。暗号化の方法はＲＣ４等の方式が一般に知られている。本発明では暗号化の方式自体は直接関係しないので、すでにその技術はあるものとして説明を省略する。１４３は本電子文書ファイル保存ダイアログでの指定を確定させ、保存処理の実行開始を指示するＯＫボタンであり、１４４は本電子文書ファイル保存ダイアログでの指定をキャンセルするキャンセルボタンである。
【００６０】
図１５は本発明においては、図１２の従来例における電子文書ファイルに分散印刷の指示を印刷処理手順記述ファイルに記述し電子文書ファイルを作成するまでの一例がどのように変わるかを説明するフローチャートである。
【００６１】
ステップＳ１からＳ５までは図１２の場合と同様である。印刷実行が指示され印刷処理手順記述ファイルの作成がステップＳ５で終了すると、ステップＳ３０にて電子文書ファイル保存ダイアログ１４０が表示される。この時の画面を説明したのが図１４である。そして印刷処理手順記述ファイル以外は暗号化して保存するかどうかと、作成した電子文書をこのＰＣ上のどこに保存するかを指定する。本実施例では、文書保護チェックボックス１４２がＯＮされたものとして説明を続ける。そして図１２で説明したフローチャートの場合と同様に、ステップＳ７にて作成された電子文書ファイルがプリントサーバ１１１へＬＡＮ等のネットワークを介して転送される。
【００６２】
図１６は本発明においては、図１３の従来例におけるプリントサーバ上での分散印刷の指示が印刷処理手順記述ファイルに記述された電子文書ファイルを分散印刷するまでの一例がどのように変わるかを説明するフローチャートである。
【００６３】
ステップＳ２１からＳ２４までは図１３の場合と同様である。ステップＳ２４で印刷処理手順記述ファイルに記述されているページ分散印刷指示の解析が終了すると、ステップＳ４０にて電子文書ファイル中の印刷処理手順記述ファイルだけを変更することにより、ステップＳ２５の場合と同様に、ステップＳ２４で解析した結果に基いて分散数分の印刷処理手順記述ファイルを作成し、その印刷処理手順記述ファイルをもとに、分散数分のアーカイブ機能で一つに統合される前の電子文書ファイルを作成する。印刷処理手順記述ファイル以外が暗号化されていて変更できないこと以外は、ステップＳ２５とＳ４０で行っている処理内容は同じである。そして図１３で説明したフローチャートの場合と同様に、ステップＳ２６・Ｓ２７と分散印刷処理を続ける。
【００６４】
図１７では図１５のステップ３０または図１６のステップＳ２６で保存された電子ファイルを再印刷する一例を説明するフローチャートです。
【００６５】
ステップＳ５０で再印刷を行う電子文書ファイルをキーボード９より選択する。そしてステップＳ５１で再印刷がキーボード９より指示されたかどうかを判断し、指示されていなければステップＳ５１を繰り返し、指示されたならばステップＳ５２へ進む。ステップＳ５２では印刷部数や分散印刷の方法等の再印刷の方法を指定し、ステップＳ５３では再印刷の実行が指示されたかどうかを判定し、指示されていなければステップＳ５３を繰り返し、指示されたならばステップＳ５４へ進む。ステップＳ５４では電子文書ファイル内で唯一暗号化されていなくて更新が可能な印刷処理手順記述ファイルをステップＳ５２で指定されたし印刷方法に従って変更し、ステップＳ５５にて電子文書ファイルをＰＣ上に保存する。そしてステップＳ５６にて、作成された再印刷用の電子文書ファイルをプリントサーバに送信する。
【００６６】
以上のように印刷処理手順記述ファイル以外を暗号化することによって、分散印刷などの再印刷の利便性を損なわないで、電子文書ファイルの内容の改竄を防ぐことが可能になる。
【図面の簡単な説明】
【００６７】
【図１】実施例におけるプログラムを起動する電子文書印刷装置のシステムブロック図
【図２】実施例におけるプログラムを起動する電子文書印刷装置の外観図
【図３】電子文書ファイルを構成するファイルの一覧図
【図４】電子文書ファイルのフォーマットを説明する図
【図５】電子文書ファイルヘッダ情報のフォーマットを説明する図
【図６】電子文書管理ファイルのフォーマットを説明する図
【図７】印刷処理手順記述ファイルのフォーマットを説明する図
【図８】編集情報ファイルのフォーマットを説明する図
【図９】バリアブル編集情報ファイルのフォーマットを説明する図
【図１０】検索キーワード情報ファイルのフォーマットを説明する図
【図１１】分散印刷処理のフローを説明する図
【図１２】従来例を説明する第一のフローチャート
【図１３】従来例を説明する第二のフローチャート
【図１４】電子文書ファイルの保護設定を説明する図
【図１５】本発明を説明する第一のフローチャート
【図１６】本発明を説明する第二のフローチャート
【図１７】本発明を説明する第三のフローチャート
【符号の説明】
【００６８】
１  システム・バス
２  ＣＰＵ
３  ＰＭＥＭ
４  通信制御部
５  デジタルカメラ
６  画像入出力制御部
７、１７  プリンタ
８  入力制御部
９  キーボード
１０  マウス
１１  ＶＲＡＭ
１２  表示出力制御部
１３  ＣＲＴ
１４  外部記憶制御部
１５  ハード・ディスク
１６  フロッピ（登録商標）・ディスク
【図１】
2007004454.tif 000003
【図２】
2007004454.tif 000004
【図３】
2007004454.tif 000005
【図４】
2007004454.tif 000006
【図５】
2007004454.tif 000007
【図６】
2007004454.tif 000008
【図７】
2007004454.tif 000009
【図８】
2007004454.tif 000010
【図９】
2007004454.tif 000011
【図１０】
2007004454.tif 000012
【図１２】
2007004454.tif 000013
【図１３】
2007004454.tif 000014
【図１４】
2007004454.tif 000015
【図１５】
2007004454.tif 000016
【図１６】
2007004454.tif 000017
【図１７】
2007004454.tif 000018
【図１１】
2007004454.tif 000019